(57)【要約】【課題】貯蔵室内の雰囲気を０℃から凍結点までの温度帯に保つことが容易にできる家庭用に好適な冷凍冷蔵庫を提供する。【解決手段】断熱箱体の内部に設けられた冷蔵室２１,製氷室２２,冷凍室２３,野菜室２４と、各室２１〜２４に供給する冷気を発生する冷凍サイクルユニットＡと、冷凍サイクルユニットＡにより発生させた冷気を各室２１〜２４に循環させる冷気循環経路に設けられ、野菜室２４内の雰囲気を冷却するための冷気を発生する副冷却装置Ｃとを備える。制御部３２は、野菜室２４内の雰囲気を０℃から凍結点までの温度帯に保つように、冷凍サイクルユニットＡと副冷却装置Ｃを制御する。【選択図】図１Ａ
2009008332.tif 000002
【特許請求の範囲】
【請求項１】
断熱箱体の内部に設けられた貯蔵室を含む複数の室と、
上記貯蔵室を含む複数の室に供給する冷気を発生する冷凍サイクルと、
上記冷凍サイクルにより発生させた上記冷気を上記貯蔵室を含む複数の室に循環させる冷気循環経路に設けられ、上記貯蔵室内の雰囲気を冷却するための冷気を発生する副冷却装置と、
上記貯蔵室内の雰囲気を０℃から凍結点までの温度帯に保つように、上記冷凍サイクルと上記副冷却装置を制御する制御部と
を備えたことを特徴とする冷凍冷蔵庫。
【請求項２】
請求項１に記載の冷凍冷蔵庫において、
上記副冷却装置は、ペルチェ素子を使用した空冷式冷風撹拌方式の電子冷却装置であることを特徴とする冷凍冷蔵庫。
【請求項３】
請求項１または２に記載の冷凍冷蔵庫において、
上記副冷却装置は、上記貯蔵室内の雰囲気を加熱するための暖気も発生し、
上記貯蔵室の後部に設けられ、上記冷凍サイクルからの冷気を調節する第１冷気調節部と、
上記貯蔵室の後部に設けられ、上記副冷却装置からの上記冷気または上記暖気を調節する第２冷気調節部と、
上記貯蔵室内の雰囲気の温度を検出する貯蔵室用温度センサと
を備え、
上記制御部は、上記冷凍サイクルと上記副冷却装置の運転状況、および、上記貯蔵室用温度センサにより検出された上記貯蔵室内の雰囲気の温度に基づいて、上記第１冷気調節部と上記第２冷気調節部の開放または遮蔽を行うことを特徴とする冷凍冷蔵庫。
【請求項４】
請求項１または２に記載の冷凍冷蔵庫において、
上記副冷却装置は、上記貯蔵室内の雰囲気を加熱するための暖気も発生し、
上記貯蔵室内の雰囲気の温度を検出する貯蔵室用温度センサを備え、
上記制御部は、上記貯蔵室用温度センサにより検出された上記貯蔵室内の雰囲気が上記温度帯になるように、上記副冷却装置からの上記冷気または上記暖気により上記貯蔵室内の雰囲気を冷却または加熱を行うことを特徴とする冷凍冷蔵庫。
【請求項５】
請求項２から４までのいずれか１つに記載の冷凍冷蔵庫において、
上記副冷却装置は、上記冷気を発生する冷気発生モードと上記暖気を発生する暖気発生モードとを有し、
上記制御部は、上記冷凍サイクルの除霜運転時以外のときに上記副冷却装置を上記冷気発生モードから上記暖気発生モードに切り替えて上記副冷却装置の除霜運転を行う一方、上記冷凍サイクルの除霜運転時に上記副冷却装置の除霜運転を行わないことを特徴とする冷凍冷蔵庫。
【請求項６】
請求項１から５までのいずれか１つに記載の冷凍冷蔵庫において、
上記貯蔵室の内壁面を、断熱性を有する材料で形成していることを特徴とする冷凍冷蔵庫。
【発明の詳細な説明】
【技術分野】
【０００１】
この発明は、冷凍冷蔵庫に関し、家庭用として好適な冷凍冷蔵庫に関する。
【背景技術】
【０００２】
従来から、間接冷却(間接冷却方式)と呼ばれる冷凍冷蔵庫は、種々開発されている。このような間接冷却方式の冷凍冷蔵庫は、冷気を生じさせる冷凍サイクルユニットを備えている。
【０００３】
図５に示すように、一般的な冷凍サイクルユニットは、圧縮器１１１と、凝縮器(フィンチューブ型蒸発器)１１３と、キャピラリーチューブ１１４と、蒸発器１１５を、冷媒パイプ１１６を介して環状に接続された冷媒回路を構成している。そして、冷凍冷蔵庫は、この冷凍サイクルユニットの蒸発器１１５による冷気(−２５℃程度)を送風ファン１３３によって、庫内に循環させることで、冷蔵，冷凍を行う。
【０００４】
ところで、上記従来の冷凍冷蔵庫で食品を長期保存するには、冷凍室に入れて凍結させて保存することが最も効果的であるが、一旦凍らせると細胞組織が破壊されて復元不可能である野菜などの食品の場合は、冷凍することはできない。そのような食品のために、マイナス温度帯でありながら未凍結状態を保持できれば、長期に食品をおいしく保存する貯蔵室を実現できる。
【０００５】
そこで、従来、特許文献１(特許第３６４９８５０号公報)のような冷蔵庫または特許文献２(特許第３０４１３４１号公報)のような冷却装置が提案されている。
【０００６】
上記特許文献１の冷蔵庫は、野菜室の温度上昇を防止するため、冷凍サイクルにより発生した冷気を直接野菜室に供給するバイパスダクトを設けている。また、上記特許文献２の冷却装置はペルチェ素子による冷却により、均一に緩慢冷却を行う制御を備えている。
【０００７】
しかしながら、上記特許文献１の冷蔵庫は、冷蔵庫全体の冷却を行う冷凍サイクルの能力のみで野菜室の低温化を図る仕様であるため、庫内の負荷が大きくなった場合や除霜時では、野菜室の温度を目的の状態に保つことができない上、−２５℃程度になる冷気で貯蔵室を均一の温度帯にするための細かな温度範囲で冷凍サイクルのオン／オフを行うのは難しい。また、上記特許文献２の冷却装置は、ペルチェ素子による緩慢冷却が食品の凍結防止に効果的であるが、単独で冷却して、高負荷時や除霜時に目的の０℃から凍結点までの温度帯を常時保つには能力が足りない。上記特許文献２においても、熱伝導性の高い材料を通して冷却物に接触させて冷却する空冷式プレート冷却型になっており、天井面全面に庫内吸熱用フィンを取付けているが、発露や湿度制御のためには完全密閉構造にはできず、このような直冷式を家庭の冷凍冷蔵庫に応用するのは難しい。
【特許文献１】特許第３６４９８５０号公報
【特許文献２】特許第３０４１３４１号公報
【発明の開示】
【発明が解決しようとする課題】
【０００８】
そこで、この発明の課題は、貯蔵室内の雰囲気を０℃から凍結点までの温度帯に保つことが容易にできる家庭用に好適な冷凍冷蔵庫を提供することにある。
【課題を解決するための手段】
【０００９】
上記課題を解決するため、この発明の冷凍冷蔵庫は、
断熱箱体の内部に設けられた貯蔵室を含む複数の室と、
上記貯蔵室を含む複数の室に供給する冷気を発生する冷凍サイクルと、
上記冷凍サイクルにより発生させた上記冷気を上記貯蔵室を含む複数の室に循環させる冷気循環経路に設けられ、上記貯蔵室内の雰囲気を冷却するための冷気を発生する副冷却装置と、
上記貯蔵室内の雰囲気を０℃から凍結点までの温度帯に保つように、上記冷凍サイクルと上記副冷却装置を制御する制御部と
を備えたことを特徴とする。
【００１０】
上記構成の冷凍冷蔵庫によれば、上記冷凍サイクルにより発生させた冷気を貯蔵室を含む複数の室に循環させる冷気循環経路に副冷却装置を設け、その副冷却装置により発生させた冷気によって、貯蔵室内の雰囲気が０℃から凍結点までの温度帯に保たれるように、貯蔵室内の雰囲気を冷却する。これにより、上記冷凍サイクルの能力に係わらず、貯蔵室内の雰囲気を０℃から凍結点までの温度帯に保つことが容易にできる。
【００１１】
また、一実施形態の冷凍冷蔵庫では、上記副冷却装置は、ペルチェ素子を使用した空冷式冷風撹拌方式の電子冷却装置である。
【００１２】
上記実施形態によれば、ペルチェ素子を使用した空冷式冷風撹拌方式の電子冷却装置を副冷却装置として用いることにより、冷凍サイクルでは困難である氷点下での頻度の高いオン／オフ制御を効率よく実現でき、食品を凍結させず均一に緩慢冷却を行うことができる。また、冷凍サイクルにより貯蔵室内の雰囲気の温度が下がりすぎないように、ペルチェ素子の極性を変えて暖気を貯蔵室内に送り、貯蔵室内の食品などの凍結を防ぐことができる。さらに、上記電子冷却装置を空冷式プレート冷却型とすることにより、プレート面内側の結露を防ぎ、均一な緩慢冷却を実現できる。
【００１３】
また、一実施形態の冷凍冷蔵庫では、
上記副冷却装置は、上記貯蔵室内の雰囲気を加熱するための暖気も発生し、
上記貯蔵室の後部に設けられ、上記冷凍サイクルからの冷気を調節する第１冷気調節部と、
上記貯蔵室の後部に設けられ、上記副冷却装置からの上記冷気または上記暖気を調節する第２冷気調節部と、
上記貯蔵室内の雰囲気の温度を検出する貯蔵室用温度センサと
を備え、
上記制御部は、上記冷凍サイクルと上記副冷却装置の運転状況、および、上記貯蔵室用温度センサにより検出された上記貯蔵室内の雰囲気の温度に基づいて、上記第１冷気調節部と上記第２冷気調節部の開放または遮蔽を行う。
【００１４】
上記実施形態によれば、上記冷凍サイクルと副冷却装置の運転状況、および、貯蔵室用温度センサにより検出された貯蔵室内の雰囲気の温度に基づいて、制御部によって、第１冷気調節部と第２冷気調節部の開放または遮蔽を行うことによって、冷凍サイクルと副冷却装置の除霜運転時による悪影響を防止し、絶えず貯蔵室内の温度を目的の温度帯(０℃から凍結点まで)に保つことができる。
【００１５】
また、一実施形態の冷凍冷蔵庫では、
上記副冷却装置は、上記貯蔵室内の雰囲気を加熱するための暖気も発生し、
上記貯蔵室内の雰囲気の温度を検出する貯蔵室用温度センサを備え、
上記制御部は、上記貯蔵室用温度センサにより検出された上記貯蔵室内の雰囲気が上記温度帯になるように、上記副冷却装置からの上記冷気または上記暖気により上記貯蔵室内の雰囲気を冷却または加熱を行う。
【００１６】
上記実施形態によれば、貯蔵室が目的の温度帯より暖かすぎても冷えすぎても、副冷却装置の冷気発生モードと暖気発生モードを切り替えるだけで、簡単にかつ効率よく目的の温度帯を保つことができる。
【００１７】
また、一実施形態の冷凍冷蔵庫では、
上記副冷却装置は、上記冷気を発生する冷気発生モードと上記暖気を発生する暖気発生モードとを有し、
上記制御部は、上記冷凍サイクルの除霜運転時以外のときに上記副冷却装置を上記冷気発生モードから上記暖気発生モードに切り替えて上記副冷却装置の除霜運転を行う一方、上記冷凍サイクルの除霜運転時に上記副冷却装置の除霜運転を行わない。
【００１８】
上記実施形態によれば、上記制御部は、冷凍サイクルの除霜運転時以外のときに副冷却装置を冷気発生モードから暖気発生モードに切り替えて副冷却装置の除霜運転を行う一方、冷凍サイクルの除霜運転時に副冷却装置の除霜運転を行わないことによって、冷凍サイクルの除霜運転と重ならずに、貯蔵室を目標の温度帯に保つことができる。
【００１９】
また、一実施形態の冷凍冷蔵庫では、上記貯蔵室の内壁面を、断熱性を有する材料で形成している。
【００２０】
上記実施形態によれば、貯蔵室の内箱壁面は、断熱性を有する材料で作られていることにより、貯蔵室内の雰囲気を０℃から凍結点までの温度帯に常時保って貯蔵室内の発露を防止し，緩慢冷却を実現できる。
【発明の効果】
【００２１】
以上より明らかなように、この発明の冷凍冷蔵庫によれば、冷凍サイクルの能力に係わらず、貯蔵室内の雰囲気を０℃から凍結点までの温度帯に保つことが容易にできる家庭用に好適な冷凍冷蔵庫を実現することができる。
【発明を実施するための最良の形態】
【００２２】
以下、この発明の冷凍冷蔵庫を図示の実施の形態により詳細に説明する。
【００２３】
図１Ａはこの発明の実施の一形態の冷凍冷蔵庫の概略構成図を示している。図１Ａに示すように、この実施の形態の冷凍冷蔵庫Ｂは、外箱２５と内箱２６との間に断熱材が充填された断熱箱体内に設けられた冷蔵室２１と製氷室２２と冷凍室２３と貯蔵室の一例としての野菜室２４とを備えている。そして、これらの各室(２１〜２４)は、冷凍サイクルユニットＡからの冷風を受けて冷却される(間接冷却方式)。具体的には、冷蔵室２１,製氷室２２,冷凍室２３,野菜室２４に設けられた開口部(便宜上、図１Ａでは部分的に示す)を通じて、冷凍サイクルユニットＡからの冷気が流れ込み、断熱仕切板２７内に流れ込む構造の冷気循環経路を形成している。上記野菜室２４は、二重構造をもち、冷凍サイクルユニットＡからの冷風が内部容器２４１の周囲を通って内部を冷却し、前面かつ上側の開口から一部が断熱仕切板２７内に流れ込む構造の冷気循環経路を形成している。
【００２４】
なお、これらの冷蔵室２１,製氷室２２,冷凍室２３,野菜室２４には、冷凍冷蔵庫Ｂの外装本体を構成する外箱２５内部に配設された内箱２６を断熱仕切板２７で区切ることによって形成されている。また、外箱２５と内箱２６との間には、断熱材が充填されており、各室の温度が、外気の影響を受けないようになっている。
【００２５】
〈冷凍サイクルユニットＡについて〉
ここで、冷凍冷蔵庫Ｂにおける冷却装置となる冷凍サイクルユニットＡについて詳細に説明する。
【００２６】
冷凍サイクルユニットＡは、冷凍サイクルを構成するユニットであり、圧縮器１１と、補助凝縮器１２と、凝縮器１３と、コールドガス用キャピラリーチューブ(Ｃ用キャピラリーチューブ；減圧器)１４と、蒸発器(蒸発器)１５と、冷媒パイプ(冷媒管)１６とを有する。
【００２７】
上記圧縮器１１は、冷凍サイクルの作動媒体である冷媒を高温，高圧下にて圧縮し、気化させるものである。つまり、圧縮器１１は、圧縮機能を有する装置である。なお、圧縮器１１は、作動熱を生じるために、密閉度の高い空間に収容されるようになっている。
【００２８】
また、補助凝縮器１２は、蒸発器１５が除霜(霜取り)するときに生じる水(除霜水)を蒸発させるものである。また、補助凝縮器１２は、除霜水によって、圧縮器１１からの高温気化した冷媒の一部を冷却し、凝縮させる機能も有している。
【００２９】
また、凝縮器１３は、補助凝縮器１２によって冷却凝縮された冷媒をさらに凝縮させ、液化させるものである。つまり、凝縮器１３は、液化機能を有する装置である。なお、このような凝縮器１３は、自然対流を利用して外気に熱を放出させることで、冷媒を凝縮して液化している。
【００３０】
また、Ｃ用キャピラリーチューブ１４は、蒸発器１５に流入する冷媒(具体的には液化した冷媒)の圧力を低下させる減圧装置である。
【００３１】
さらに、蒸発器１５は、補助凝縮器１２，凝縮器１３，Ｃ用キャピラリーチューブ１４を経ることで、低温，低圧で液化した冷媒(冷媒液)を気化させるものである。つまり、蒸発器１５は、気化機能を有する装置である。なお、このような蒸発器１５は、冷凍冷蔵庫Ｂの内部の熱を奪って、冷媒液を蒸発化(ガス化)させるようになっている。例えば、フィンチューブ型の熱交換器が一例として挙げられる。
【００３２】
なお、蒸発器１５近傍には、送風ファン３３が設けられている。この送風ファン３３は、蒸発器１５によって、冷却された空気(熱交換されて冷却された空気)を各室内(冷蔵室他)に送り出すものである。
【００３３】
上記冷媒パイプ１６は、圧縮器１１，補助凝縮器１２，凝縮器１３，Ｃ用キャピラリーチューブ１４，蒸発器１５を連結させるパイプ(管)である。つまり、冷媒パイプ１６は、各部材(圧縮器１１，補助凝縮器１２，凝縮器１３，Ｃ用キャピラリーチューブ１４，蒸発器１５)の順に冷媒を循環させるように連結して、冷媒回路を構成している。
【００３４】
なお、冷媒が、圧縮器１１，補助凝縮器１２，凝縮器１３，Ｃ用キャピラリーチューブ１４，蒸発器１５，圧縮器１１の順に流れるサイクルをコールドガスサイクルと表現する。
【００３５】
〈副冷却装置Ｃについて〉
この冷凍冷蔵庫Ｂでは、野菜室２４を常時目的の温度帯(０℃から凍結点までの温度帯)に保つために野菜室２４近傍に副冷却装置Ｃが組み込まれている。野菜室２４は、冷凍サイクルユニットＡによる冷却と、副冷却装置Ｃによる冷却によって、常時目的の温度帯(０℃から凍結点までの温度帯)に保たれている。
【００３６】
この冷凍冷蔵庫Ｂに用いた副冷却装置Ｃは、この実施の形態では、ペルチェモジュールによる電子冷却装置を用いている。副冷却装置Ｃのペルチェモジュール３５は、ペルチェ素子を複数組み合わせたもので、電気を流すと熱が低温側(吸熱側)から高温側(放熱側)に移動する性質をもつ。そして、ペルチェモジュール３５の吸熱側に吸熱フィン３６を備え、ペルチェモジュール３５の放熱側に放熱フィン３７を備えている。上記吸熱ファン３８によって吸熱側の冷気を野菜室２４の外壁周囲に送り、野菜室２４を冷却する。一方、放熱側に溜まった熱は、放熱ファン３９によって空冷により放熱される。このため、副冷却装置Ｃは、冷凍サイクルユニットＡの圧縮器１１が収容されている密閉度の高い空間の壁面に取り付けられている。冷凍冷蔵庫Ｂは、副冷却装置Ｃの放熱側からの熱が圧縮器１１側に放熱され、圧縮器１１の熱と同様に庫外に放出される構造を有する。
【００３７】
この副冷却装置Ｃは、ペルチェ素子の空冷式冷風撹拌方式を最適仕様としているが，ペルチェ素子自体の発熱が高いため、この実施の形態のように氷点下の冷却能力を維持するためにはより強力な排熱能力をもつことが望ましい。そのために放熱フィン３７により表面積を増やし、放熱ファン３９を強力に運転する等の制御を行うだけでなく、放熱ダンパー４２を短時間ごとに開閉し、ペルチェ素子自体の放熱効果を高める制御をもつことが望ましい。
【００３８】
〈各種温度センサについて〉
上記冷蔵室２１,製氷室２２,冷凍室２３,野菜室２４には、各室内温度(庫内温度)を測定する温度センサ３０ａ〜３０ｅが夫々設けられている。つまり、冷蔵室２１には冷蔵室用温度センサ３０ａ、製氷室２２には製氷室用温度センサ３０ｂ、冷凍室２３には冷凍室用温度センサ３０ｃ、野菜室２４には貯蔵室用温度センサの一例としての野菜室用温度センサ３０ｄが設けられている。
【００３９】
さらに、冷凍冷蔵庫Ｂには、外気(庫外)を測定する外気温度センサ３１が設けられている。そして、これらの各種温度センサ(３０ａ〜３０ｅ,３１)の測定温度(測定庫内温度，測定外気温度)の結果は、冷凍冷蔵庫Ｂに設けられた制御部３２に出力される。
【００４０】
なお、制御部３２は、冷凍冷蔵庫Ｂ全体の動作制御等を行う中枢部分となっており、冷凍サイクルユニットＡ等の各部材の駆動を有機的に制御して、動作を統括制御するものである。また、制御部３２は、冷凍サイクルユニットＡの除霜予定を検知して、副冷却装置Ｃに信号を送り、除霜開始前より副冷却装置Ｃの運転を開始させる。
【００４１】
逆に、副冷却装置Ｃの除霜運転は、冷凍サイクルユニットＡの除霜運転と重ならないように、絶えず野菜室２４が目的の温度帯を保つように野菜室２４の温度検知および冷凍サイクルユニットＡと副冷却装置Ｃの制御を行う。
【００４２】
この実施の形態の貯蔵室である野菜室２４の温度検知および冷凍サイクルユニットＡ,副冷却装置Ｃの制御のフローチャートを図２〜図４に従って説明する。
【００４３】
図２はこの発明の野菜室２４を目的の温度帯(０℃から凍結点までの温度)に保つための副冷却装置Ｃの運転制御を示すフローチャートを示している。
【００４４】
冷凍冷蔵庫Ｂの運転が開始されると、ある一定時間毎にステップＳ１で野菜室２４の温度を検知する。
【００４５】
次に、ステップＳ２に進み、野菜室用温度センサ３０ｄにより検出された野菜室内温度Ｔが０℃以上であると判別すると、ステップＳ３に進み、副冷却装置Ｃを駆動させて、冷気発生モードで副冷却装置Ｃによる冷却運転を開始する。ここで、副冷却装置Ｃは、吸熱フィン３６に吸熱ファン３８からの空気を吸熱フィン３６が冷却し、第２冷気調節部の一例としての副冷却ダンパー４０を開けて野菜室２４側へ冷気を送り込む。それにより、野菜室２４が冷やされる。なお、ステップＳ２で野菜室用温度センサ３０ｄにより検出された野菜室内温度Ｔが０℃未満であると判別すると、ステップＳ１に戻る。
【００４６】
次に、ステップＳ４に進み、野菜室内温度Ｔがある一定温度「α℃」以下であると判別すると、ステップＳ５に進み、副冷却装置Ｃの駆動を停止する。この「α℃」は、目的の温度帯の温度範囲内であるが、冷凍サイクルユニットＡと副冷却装置Ｃと両方で野菜室２４を冷却しているため、このまま冷却し続けると凍結点まで温度が下がり続けるため、早めに副冷却装置Ｃの駆動を停止する制御を行う。「α℃」は、貯蔵目的とする内部の食品にもより、また、冷凍冷蔵庫の容積，運転率，野菜室２４の容積，副冷却装置Ｃの冷却能力により変動する。なお、ステップＳ４で野菜室内温度Ｔがある一定温度「α℃」未満であると判別すると、ステップＳ３に戻る。
【００４７】
そして、副冷却装置Ｃを停止後も、野菜室２４内の温度が下がりすぎ、ステップＳ６で野菜室内温度Ｔが凍結点に近い「β℃」以下であると判別すると、ステップＳ７に進み、冷凍サイクルユニットＡ側の第１冷気調節部の一例としての冷却ダンパー４１を一時閉め、副冷却装置Ｃの極性を変えて庫内側を放熱側に変えて、暖気発生モードで副冷却装置Ｃによる暖房運転を行う。なお、ステップＳ６で野菜室内温度Ｔが凍結点に近い「β℃」未満であると判別すると、ステップＳ３に戻る。
【００４８】
次に、ステップＳ８に進み、野菜室内温度Ｔが上昇し、「α℃」以上であると判別すると、ステップＳ９に進む一方、野菜室内温度Ｔが「α℃」未満であると判別すると、このステップＳ８を繰り返す。
【００４９】
そして、ステップＳ９で冷却ダンパー４１を開放して、副冷却装置Ｃの極性を戻して庫内側を吸熱側にした後、副冷却装置Ｃの運転を停止する。
【００５０】
それでも野菜室２４内の温度が上がりすぎて、次のステップＳ１０で野菜室内温度Ｔが０℃以上になった場合は、ステップＳ３に戻り、副冷却装置Ｃを駆動させて、同様の制御を繰り返す。
【００５１】
図３は冷凍サイクルユニットＡが除霜運転を行う場合の制御を示すフローチャートである。
【００５２】
ステップＳ１１で冷凍サイクルユニットＡが除霜運転を開始すると、同時に冷却ダンパー４１を閉め、冷凍サイクルユニットＡからの熱風を遮断する。徐々に野菜室２４の温度が上昇し、ステップＳ１２で野菜室内温度Ｔが「α℃」以上であると判別すると、ステップＳ１３に進み、副冷却装置Ｃを作動させる。
【００５３】
次に、ステップＳ１４に進み、冷凍サイクル除霜運転が終了して冷却運転を開始すると、冷却ダンパー４１を開ける。
【００５４】
そして、ステップＳ１５に進み、野菜室内温度Ｔが「α℃」以下であると判別すると、図２に示すステップＳ５に移行し、副冷却装置Ｃを停止して、通常運転制御(図２)を行う。
【００５５】
図４は副冷却装置Ｃの除霜運転制御を示すフローチャートである。
【００５６】
まず、ステップＳ２１で副冷却装置Ｃが冷却運転を開始して、ステップＳ２２に進み、所定時間経過したと判別すると、ステップＳ２３に進み、副冷却装置Ｃの極性反転を行い、ごく短時間のみ暖房運転を行う。なお、ステップＳ２２で所定時間経過していないと判別すると、このステップＳ２２を繰り返す。
【００５７】
次に、ステップＳ２４で所定時間経過したと判別すると、ステップＳ２５に進む一方、所定時間経過していないと判別すると、このステップＳ２４を繰り返す。
【００５８】
そして、ステップＳ２５で吸熱側温度Ｔeが０℃以上であると判別すると、除霜完了であるとしてステップＳ２６に進み、副冷却装置Ｃの極性を元に戻した後、ステップＳ２２に戻り、冷却運転を再開する。
【００５９】
一方、ステップＳ２５で吸熱側温度Ｔeが氷点下であった場合、吸熱フィン３６の着霜が予想されるため、ステップＳ２７に進み、冷凍サイクルユニットＡの次の除霜運転開始時間を予測し、その時間より一定時間γ以上ある場合は、ステップＳ２８に進み、副冷却ダンパー４０を閉めて、副冷却装置Ｃの除霜運転を開始する。
【００６０】
次に、ステップＳ２９に進み、除霜運転終了後、ステップＳ２６に進み、副冷却装置Ｃの極性を戻した後、ステップＳ２２に戻り、冷却運転を再開する。
【００６１】
一方、ステップＳ２７で冷凍サイクルユニットＡの次の除霜運転開始時間を予測し、その時間より一定時間γ未満である場合は、副冷却装置Ｃの除霜運転をあきらめて、ステップＳ２６に進み、副冷却装置Ｃの極性を戻した後、ステップＳ２２に戻り、冷却運転を再開する。
【００６２】
また、この冷凍冷蔵庫の温度帯を発露なく実現するためには、現行の樹脂製野菜室ケースでは困難であり、周壁は断熱材で構成されることが必要不可欠である。これにより目的の温度帯へ冷却すべく氷点下の冷風が直接かかっても局所的な冷却、発露を防止することができる。
【００６３】
以上の構造および仕様によって、この発明の冷凍冷蔵庫は０℃から凍結点までの温度帯を常時保つ野菜室を実現することができ、冷凍できない食品の長期保存を可能にする。
【００６４】
この発明の具体的な実施の形態について説明したが、この発明は上記実施の形態に限定されるものではなく、この発明の範囲内で種々変更して実施することができる。
【００６５】
また、副冷却装置Ｃにペルチェ素子を使用した空冷式冷風撹拌方式の電子冷却装置を用いることにより、冷凍サイクルユニットＡでは困難である氷点下での頻度の高いオン／オフ制御を効率よく実現でき、食品を凍結させず均一に緩慢冷却を行うことができる。また、冷凍サイクルユニットＡにより野菜室２４内の雰囲気の温度が下がりすぎないように、ペルチェ素子の極性を変えて暖気を野菜室２４内に送り、野菜室２４内の食品などの凍結を防ぐことができる。さらに、上記電子冷却装置を空冷式プレート冷却型とすることにより、プレート面内側の結露を防ぎ、均一な緩慢冷却を実現することができる。
【００６６】
また、上記冷凍サイクルユニットＡと副冷却装置Ｃの運転状況、および、貯蔵室用温度センサにより検出された野菜室２４内の雰囲気の温度に基づいて、制御部３２によって、第１冷気調節部である冷却ダンパー４１と第２冷気調節部である副冷却ダンパー４０の開放または遮蔽を行うことによって、冷凍サイクルユニットＡと副冷却装置Ｃの除霜運転時による悪影響を防止し、絶えず野菜室２４内の温度を目的の温度帯(０℃から凍結点まで)に保つことができる。
【００６７】
また、野菜室２４が目的の温度帯より暖かすぎても冷えすぎても、副冷却装置Ｃの冷気発生モードと暖気発生モードを切り替えるだけで、簡単にかつ効率よく目的の温度帯を保つことができる。
【００６８】
また、上記制御部３２は、冷凍サイクルユニットＡの除霜運転時以外のときに副冷却装置Ｃを冷気発生モードから暖気発生モードに切り替えて副冷却装置Ｃの除霜運転を行う一方、冷凍サイクルユニットＡの除霜運転時に副冷却装置Ｃの除霜運転を行わないことによって、冷凍サイクルユニットＡの除霜運転と重ならずに、野菜室２４を目標の温度帯に保つことができる。
【図面の簡単な説明】
【００６９】
【図１Ａ】図１Ａはこの発明の実施の一形態の冷凍冷蔵庫の概略構成図である。
【図１Ｂ】図１Ｂは上記冷凍冷蔵庫の副冷却装置の概略構成図である。
【図２】図２はこの発明の副冷却装置の通常運転制御を示すフロー図である。
【図３】図３はこの発明の冷凍サイクルの除霜運転制御を示すフロー図である。
【図４】図４はこの発明の副冷却装置の除霜運転制御を示すフロー図である。
【図５】図５は従来における冷凍サイクルの概略構成図である。
【符号の説明】
【００７０】
Ａ…冷凍サイクルユニット
Ｂ…冷凍冷蔵庫
Ｃ…副冷却装置
１１…圧縮器
１２…補助凝縮器
１３…凝縮器(フィンチューブ型蒸発器)
１４…キャピラリーチューブ
１５…蒸発器
１６…冷媒パイプ
２１…冷蔵室
２２…製氷室
２３…冷凍室
２４…野菜室
２５…外箱
２６…内箱
２７…断熱仕切板
３０ａ…冷蔵室用温度センサ
３０ｂ…製氷室用温度センサ
３０ｃ…冷凍室用温度センサ
３０ｄ…野菜室用温度センサ
３１…外気温度センサ
３２…制御部
３３…送風ファン
３５…ペルチェモジュール
３６…吸熱フィン
３７…放熱フィン
３８…吸熱ファン
３９…放熱ファン
４０…副冷却ダンパー
４１…冷却ダンパー
４２…放熱ダンパー
【図１Ａ】
2009008332.tif 000003
【図１Ｂ】
2009008332.tif 000004
【図２】
2009008332.tif 000005
【図３】
2009008332.tif 000006
【図４】
2009008332.tif 000007
【図５】
2009008332.tif 000008